(57)【特許請求の範囲】
【請求項１】
ねじ切り部（２）と頭部（３）とを有するスクリュー部材（１）と、骨ねじに接続されるべきロッドを受け入れるための、前記頭部端部における受け部（５）とを有する骨ねじであって、前記受け部（５）は、第１のボア（６）と、ねじ切りされた２つの自由脚を有する実質的にＵ字型の断面と、前記第１のボア（６）に対向する端部に第２のボア（７）とを有し、前記第２のボア（７）の直径は、前記ねじ切り部（２）の直径よりも大きく、前記頭部（３）の直径よりは小さく、前記第１のボア（６）および前記第２のボア（７）は貫通しており、前記受け部（５）はさらに、前記頭部（３）のための座と、前記自由脚のねじ山とともに働くナットまたはスクリューとを有し、軸対称構造である前記第１のボア（６）の軸を中心に見ると、前記第２のボア（７）の縁が前記スクリュー部材（１）の回動角度を拡大するような非対称構造であることを特徴とする、骨ねじ。
【請求項２】
前記第２のボア（７）の縁は皿穴（１０）を有することを特徴とする、請求項１に記載の骨ねじ。
【請求項３】
前記第２のボア（７）の縁を通る面に対する垂線が、前記第１のボア（６）の軸に対して傾斜することを特徴とする、請求項１または２に記載の骨ねじ。
【請求項４】
前記第２のボア（７）は円形状を有し、かつ前記第２のボア（７）の中心点が、前記第１のボア（６）の軸に対してずれることを特徴とする、請求項１から３のいずれかに記載の骨ねじ。
【請求項５】
ねじ切り部（２）と頭部（３）とを有するスクリュー部材（１）と、骨ねじに接続されるべきロッドを受け入れるための、前記頭部端部における受け部（５）とを有する骨ねじであって、前記受け部（５）は、第１のボア（６）と、ねじ切りされた２つの自由脚を有する実質的にＵ字型の断面と、前記第１のボア（６）に対向する端部に第２のボア（７）とを有し、前記第２のボア（７）の直径は、前記ねじ切り部（２）の直径よりも大きく、前記頭部（３）の直径よりは小さく、前記第１のボア（６）および前記第２のボア（７）は貫通しており、前記受け部（５）はさらに、前記頭部（３）のための座と、前記自由脚のねじ山とともに働くナットまたはスクリューとを有し、前記ねじ切り部（２）と前記頭部（３）との間の首部に、前記スクリュー部材（１）が窪みまたは着座部を有し、前記窪みまたは着座部はスクリュー軸に関して前記スクリュー部材（１）の回動角度を拡大するように非対称であることを特徴とする、骨ねじ。
【発明の詳細な説明】
【０００１】
【発明の分野】
この発明は、ねじ切り部および頭部ならびに、骨ねじに接続されるべきロッドを受け入れるための、頭部端部における受け部を有する骨ねじに関し、受け部は、第１の開口ボアと、ねじ切りされた２つの自由脚を有する実質的にＵ字型の断面と、第１のボアに対向する端部に第２のボアとを有し、その直径は、ねじ切り部の直径よりも大きく頭部の直径よりは小さく、頭部のための座を形成し、受け部はさらに、ねじ山とともに働くナットまたはスクリューを有する。
【０００２】
このような骨ねじは、たとえば、米国特許第５，６７２，１７６号で開示されている。公知の骨ねじでは、頭部は球セグメント形状の構造である。第２のボアに隣接する第１のボアの底は、同様に球セグメント形状の構造であり、この球状セクションに球状の頭部が置かれる。境界縁を通る面が、第１のボアの軸に対して直角に配向されており、第２のボアの中心点が第１のボアの軸と重なる。この手段により、頭部を有するねじ切り部は、第１のボアの軸を中心に通常２５°までの予め定められた角度に回動可能であり、ねじ切り部を椎骨部分にねじ止めにした後でさえも、ロッドを受け入れる受け部の配向が可能であることが実現される。同時に、回動角度の大きさは、頭部が受け部で適切に保持されるように、頭部の直径に応じた第２のボアが一定の大きさを超えない程度に制限されている。
【０００３】
このような骨ねじを使用することは、頚椎領域では問題がある。この場合、頚椎の寸法が小さいため、ねじがいつも１方側にかつ上向きに回動することが必要であり、より大きな胸椎および腰椎における場合よりも、より大きな回動度が必要とされる。この発明の目的は、より大きな回動角度を可能にする骨ねじを提供することである。
【０００４】
この目的は、請求項１で特徴付けられる骨ねじによって解決される。
この発明の詳細は、従属請求項で示される。
【０００５】
この発明のさらなる特徴および実際の利点は、図を参照することによって、例示される実施例の説明から明らかになる。
【０００６】
【詳細な説明】
骨ねじは、ねじ切り部２と頭部３とを有する適切なスクリュー部材１を有する。頭部は、ねじ切り部に隣接する領域において球セグメント形状で形成される。ねじ切り部２に対向する端部で、頭部は、六角穴付きねじキーと係合するための、ねじ軸と同軸の窪み４を有する。
【０００７】
骨ねじはさらに、円筒構造の受け部５を含む。これは、その一端で、軸対称構造の第１のボア６を有する。対向する一端には、第２のボア７が設けられ、その直径はねじ切り部２の直径よりも大きく、頭部３の直径よりは小さい。第２のボアに対向する端部では、第１のボアが開口し、その直径は、スクリュー部材１がそのねじ切り部２によって開口端部を通って導かれ、この内腔を通り、その頭部が第１のボアの底にまで到達するような大きさである。第１のボアの底は、開口端部に向けて球形状の領域として構成され、その半径は、頭部３の球セグメント形状のセクションの半径と実質的に同じである。さらに、受け部５は、その底が第２のボア７の方にあり、その２つの側脚１３および１４が、第１のボア６の方にある開口端部へと延びる部分の中心に関して対称に配置されるＵ字型の窪み８を有する。脚１３および１４の自由端には、ナットまたはスクリューとして構成されているスクリュー部材と係合するねじ山が設けられる。ナットまたはスクリューは、Ｕ字型の窪み８に挿入されるべきロッドを固定する働きをし、ナットまたはスクリューは、ロッドに直接または圧力部材を介して働くことができる。
【０００８】
図１および図２で示される実施例では、第１のボアの対称軸を通る面にあり、かつ予め定められた角度で対称軸に傾斜される矢印９の方向に、第２のボアの開口面１１と第１のボアの縁１２との間の縁に円形の皿穴１０が設けられている。
【０００９】
図で見ることができるように、このようにして、スクリュー部材１の軸と第１のボアの対称軸との間の角度が、他の場合で得ることのできる角度と比較して、実質的に拡大される。同時に、スクリュー部材１の受け部内の座が保持される。
【００１０】
図３で示される第２の実施例では、受け部５の内部は、第１の実施例と同じように構成される。第２のボア７と境を接する開口面１１は、この実施例では、予め定められた角度αで、第２のボア７と境を接する面に傾斜され、この面１１に対する垂線(normal)と第１のボアの対称軸１５とが傾斜角度を囲む。図示される場合でのこの角度αは、例示される実施例のように１５°である。このバージョンではまた、スクリュー部材１は、通常の構造様式で達成可能な角度よりも実質的に大きい角度で、第１のボアの対称軸の方向に回動可能である。
【００１１】
図１で示される実施例および図３で示される実施例のどちらの場合においても、小さな周辺セクションが残るように、皿穴または面取部が選択され、これは球状の座に属する。
【００１２】
図示されない第４の実施例では、第２のボアの中心点は、第１のボアの対称軸に対して横に少しずれて、たとえば０．５ｍｍずれて、構成される。この横方向のずれによって、頭部は球状に構成された底部によって形成される取付物で保持されるがより大きな回動幅が側部方向に実現されるという結果が生じる。
【００１３】
前述の例示された実施例では、解決策への４つの異なるアプローチが示される。個別のアプローチを互いに組み合わせることも可能である、つまり、たとえば、第１の例示された実施例および第２の例示された実施例の両方、またはそのうちの１つによる解決策を、第３および／または第４の例示された実施例と組み合わせること、または４つのすべての例示された実施例を組み合わせることができ、この態様で、少なくとも1つの方向に回動するための可能性を高める。
【００１４】
前述の例示された実施例では、各場合において、第１のボア６の球状の底部は、受け部５の一体構成部品として構成されている。しかし、変形された実施例では、球状の底は、第１のボア６を通って導入される取付部品としてまたは第２のボア７を通って導入される取付部品として設けることもまた可能である。これにより発明では、受け部が挿入部分と共に１つの部材として見なされ、このようにして組立てられた一体部分においても前述の示された値が用いられる。
【００１５】
骨ねじを形成する部材は好ましくはチタンからなる。
図４で示される実施例では、第１のボアの軸を中心に見た、第２のボアの自由端と境を接する縁は、対称構造である。スクリュー１はその首部に窪みまたは傾斜着座部を有し、球体または球セグメントと係合することにより、非対称性が実現され、上述の実施例のように図４に示されるように、拡大された回動角度を実現することができる。
【図面の簡単な説明】
【図１】  第１の実施例の部分的な断面を示す側面図である。
【図２】  図１の拡大詳細図である。
【図３】  第２の実施例の部分的な断面を示す側面図である。
【図４】  さらなる実施例に対応する図である。
【符号の説明】
１  スクリュー部材、２  ねじ切り部、３  頭部、５  受け部、６  第１のボア、７  第２のボア。
【図１】
0004384827.tif 000002
【図２】
0004384827.tif 000003
【図３】
0004384827.tif 000004
【図４】
0004384827.tif 000005